(57)【要約】【課題】発信者に対して応答する際に、ユーザが意図する応答を簡易に行なうことが可能な情報処理装置を提供する。【解決手段】通話機能を有する情報処理装置は、情報処理装置が着信を拒否する対象となる電話番号を示す迷惑電話番号を格納するための迷惑電話番号格納部と、発信者から発信された発信者電話番号と、迷惑電話番号格納部に登録された迷惑電話番号とが一致するか否かを判断する第１の判断部と、第１の判断部の判断結果に基づいて、発信者電話番号と迷惑電話番号とが類似するか否かを判断する第２の判断部と、第２の判断部の判断結果に基づいて警告情報をユーザに通知する通知部とを含む。【選択図】図１
2013223059.tif 000002
【特許請求の範囲】
【請求項１】
通話機能を有する情報処理装置であって、
前記情報処理装置が着信を拒否する対象となる電話番号を示す迷惑電話番号を格納するための迷惑電話番号格納部と、
発信者から発信された発信者電話番号と、前記迷惑電話番号格納部に登録された迷惑電話番号とが一致するか否かを判断する第１の判断部と、
前記第１の判断部の判断結果に基づいて、前記発信者電話番号と前記迷惑電話番号とが類似するか否かを判断する第２の判断部と、
前記第２の判断部の判断結果に基づいて警告情報をユーザに通知する通知部とを備える、情報処理装置。
【請求項２】
前記第２の判断部は、電話番号の桁数と、電話番号を構成する数字列とに基づいて、前記迷惑電話番号と前記発信者電話番号とが類似するか否かを判断する、請求項１に記載の情報処理装置。
【請求項３】
前記警告情報に対してユーザからの指示を受け付ける入力部と、
前記入力部が受け付けたユーザからの着信の拒否の指示に従って、前記迷惑電話番号格納部に前記発信者電話番号を前記迷惑電話番号として登録する処理部とをさらに備える、請求項１または２に記載の情報処理装置。
【請求項４】
表示部をさらに備え、
前記通知部は、前記警告情報として前記発信者電話番号と前記迷惑電話番号とが類似することを示す情報を前記表示部に表示させる、請求項１〜３のいずれか１項に記載の情報処理装置。
【請求項５】
音声を出力する音声出力部をさらに備え、
前記通知部は、前記警告情報として前記発信者電話番号と前記迷惑電話番号とが類似することを示す音声を前記音声出力部に出力させる、請求項１〜４のいずれか１項に記載の情報処理装置。
【請求項６】
前記情報処理装置が着信を許可する対象となる電話番号を示す許可電話番号が登録された許可電話番号格納部と、
前記許可電話番号と前記発信者電話番号とが一致するか否かを判断する第３の判断部とをさらに備え、
前記通知部は、前記第２および第３の判断部の判断結果に基づいて前記警告情報をユーザに通知する、請求項１〜５のいずれか１項に記載の情報処理装置。
【請求項７】
前記通知部は、前記第２の判断部の判断結果として前記迷惑電話番号と前記発信者電話番号とが類似すると判断したとき、前記第３の判断部の判断結果として前記許可電話番号と前記発信者電話番号とが一致すると判断した場合には前記警告情報を通知せず、前記許可電話番号と前記発信者電話番号とが一致しないと判断した場合には前記警告情報を通知する、請求項６に記載の情報処理装置。
【請求項８】
通話機能を有する情報処理装置の制御方法であって、
前記情報処理装置は、前記情報処理装置が着信を拒否する対象となる電話番号を示す迷惑電話番号が登録されたメモリを含み、
発信者から発信された発信者電話番号と、前記メモリに登録された迷惑電話番号とが一致するか否かを判断するステップと、
前記発信者電話番号と、前記迷惑電話番号とが一致するか否かの判断結果に基づいて、前記発信者電話番号と前記迷惑電話番号とが類似するか否かを判断するステップと、
前記発信者電話番号と前記迷惑電話番号とが類似するか否かの判断結果に基づいて、警告情報をユーザに通知するステップとを含む、情報処理装置の制御方法。
【請求項９】
通話機能を有する情報処理装置のコンピュータに実行させる制御プログラムであって、
前記情報処理装置は、前記情報処理装置が着信を拒否する対象となる電話番号を示す迷惑電話番号が登録されたメモリを含み、
前記制御プログラムは、前記コンピュータに、
発信者から発信された発信者電話番号と、前記メモリに登録された迷惑電話番号とが一致するか否かを判断するステップと、
前記発信者電話番号と、前記迷惑電話番号とが一致するか否かの判断結果に基づいて、前記発信者電話番号と前記迷惑電話番号とが類似するか否かを判断するステップと、
前記発信者電話番号と前記迷惑電話番号とが類似するか否かの判断結果に基づいて、警告情報をユーザに通知するステップとを実行させる、情報処理装置の制御プログラム。
【発明の詳細な説明】
【技術分野】
【０００１】
本発明は、通話機能を有する情報処理装置、その制御方法、およびその制御プログラムに関する。
【背景技術】
【０００２】
従来より、電話回線網又はインターネット等を介して、ユーザの端末装置に勧誘などの迷惑電話が着信する場合がある。このような迷惑電話の着信を拒否するための種々の技術が提案されている。
【０００３】
例えば、特開２００５−１０９６１０号公報（特許文献１）には、ＩＰ（Internet  Protocol）電話加入ユーザ向けの迷惑電話を防止する技術が開示されている。当該技術は、ＩＰ電話への通話を前提にして、ＩＰ電話サービス提供事業者内に設置された自動応答機能、声紋分析機能、および電話転送機能を含む自動応答装置によって、発信者に自動応答し、発信者の応答音声を取得して、その声紋の特徴を分析し、迷惑電話発信履歴データにその声紋の特徴が登録されていないかチェックするものである。
【０００４】
例えば、特開２００３−１８３２４号公報（特許文献２）には、複数の端末装置が通信ネットワークを介して通信可能なシステムにおけるユーザフィルタリングシステムが開示されている。ユーザフィルタリングシステムでは、発信者評価パラメータ記憶装置が通信ネットワークにさらに接続されている。着信端末装置は、着信した際に、発信者又は発信端末装置を識別する発信端末装置識別子を発信者評価パラメータ記憶装置へ送信する。着信端末装置は、発信者評価パラメータ記憶装置から発信端末装置識別子に基づく評価パラメータを受信し、評価パラメータに基づいて受信の許可又は拒否を決定する。発信者評価パラメータ記憶装置は、発信端末装置識別子毎に、発信者が悪質な者であることを示す評価パラメータを記憶し、着信端末装置から受信した発信端末装置識別子に対応する評価パラメータを送信する。
【先行技術文献】
【特許文献】
【０００５】
【特許文献１】特開２００５−１０９６１０号公報
【特許文献２】特開２００３−１８３２４号公報
【発明の概要】
【発明が解決しようとする課題】
【０００６】
上記の技術では、サービスを提供するネットワーク上の装置に迷惑電話の情報が蓄積され、当該情報に基づいて迷惑電話か否かが判断されることから、各端末装置の各ユーザに適した判断がなされない場合もある。また、当該端末装置は、サービスを提供する当該ネットワーク上の装置に接続しておく必要もある。
【０００７】
本発明は、上記のような問題点を解決するためになされたものであって、発信者に対して応答する際に、ユーザが意図する応答を簡易に行なうことが可能な情報処理装置、その制御方法、およびその制御プログラムを提供することを目的とする。
【課題を解決するための手段】
【０００８】
本発明のある局面に従うと、通話機能を有する情報処理装置が提供される。情報処理装置は、情報処理装置が着信を拒否する対象となる電話番号を示す迷惑電話番号を格納するための迷惑電話番号格納部と、発信者から発信された発信者電話番号と、迷惑電話番号格納部に登録された迷惑電話番号とが一致するか否かを判断する第１の判断部と、第１の判断部の判断結果に基づいて、発信者電話番号と迷惑電話番号とが類似するか否かを判断する第２の判断部と、第２の判断部の判断結果に基づいて警告情報をユーザに通知する通知部とを含む。
【０００９】
好ましくは、第２の判断部は、電話番号の桁数と、電話番号を構成する数字列とに基づいて、迷惑電話番号と発信者電話番号とが類似するか否かを判断する。
【００１０】
好ましくは、情報処理装置は、警告情報に対してユーザからの指示を受け付ける入力部と、入力部が受け付けたユーザからの着信の拒否の指示に従って、迷惑電話番号格納部に発信者電話番号を迷惑電話番号として登録する処理部とをさらに含む。
【００１１】
好ましくは、情報処理装置は、表示部をさらに含む。通知部は、警告情報として発信者電話番号と迷惑電話番号とが類似することを示す情報を表示部に表示させる。
【００１２】
好ましくは、情報処理装置は、音声を出力する音声出力部をさらに含む。通知部は、警告情報として発信者電話番号と迷惑電話番号とが類似することを示す音声を音声出力部に出力させる。
【００１３】
好ましくは、情報処理装置は、情報処理装置が着信を許可する対象となる電話番号を示す許可電話番号が登録された許可電話番号格納部と、許可電話番号と発信者電話番号とが一致するか否かを判断する第３の判断部とをさらに含む。通知部は、第２および第３の判断部の判断結果に基づいて警告情報をユーザに通知する。
【００１４】
好ましくは、通知部は、第２の判断部の判断結果として迷惑電話番号と発信者電話番号とが類似すると判断したとき、第３の判断部の判断結果として許可電話番号と発信者電話番号とが一致すると判断した場合には警告情報を通知せず、許可電話番号と発信者電話番号とが一致しないと判断した場合には警告情報を通知する。
【００１５】
本発明の別の局面に従うと、通話機能を有する情報処理装置の制御方法が提供される。情報処理装置は、情報処理装置が着信を拒否する対象となる電話番号を示す迷惑電話番号が登録されたメモリを含む。情報処理装置の制御方法は、発信者から発信された発信者電話番号と、メモリに登録された迷惑電話番号とが一致するか否かを判断するステップと、発信者電話番号と、迷惑電話番号とが一致するか否かの判断結果に基づいて、発信者電話番号と迷惑電話番号とが類似するか否かを判断するステップと、発信者電話番号と迷惑電話番号とが類似するか否かの判断結果に基づいて、警告情報をユーザに通知するステップとを含む。
【００１６】
本発明のさらに別の局面に従うと、通話機能を有する情報処理装置のコンピュータに実行させる制御プログラムが提供される。情報処理装置は、情報処理装置が着信を拒否する対象となる電話番号を示す迷惑電話番号が登録されたメモリを含む。制御プログラムは、コンピュータに、発信者から発信された発信者電話番号と、メモリに登録された迷惑電話番号とが一致するか否かを判断するステップと、発信者電話番号と、迷惑電話番号とが一致するか否かの判断結果に基づいて、発信者電話番号と迷惑電話番号とが類似するか否かを判断するステップと、発信者電話番号と迷惑電話番号とが類似するか否かの判断結果に基づいて、警告情報をユーザに通知するステップとを実行させる。
【発明の効果】
【００１７】
以上のように、ある局面によれば、発信者に対して応答する際に、ユーザが意図する応答を簡易に行なうことが可能となる。
【図面の簡単な説明】
【００１８】
【図１】本実施の形態に従う情報処理装置の動作概要を説明するための概念図である。
【図２】本実施の形態に従う情報処理装置のハードウェア構成を示すブロック図である。
【図３】本実施の形態に従う情報処理装置の機能構成を示すブロック図である。
【図４】本実施の形態に従う情報処理装置が実行する着信応答処理を示すフローチャートである。
【図５】本実施の形態に従う情報処理装置が実行する類似判断処理の処理手順を示すフローチャートである。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
以下の説明では、情報処理装置１０が携帯電話である場合について説明する。本実施の形態に従う情報処理装置１０は、通話機能を有する装置であれば、種類を問わず任意の装置として実現可能である。例えば、情報処理装置１０は、スマートフォン、タブレット端末装置、ＰＤＡ（Personal  Digital  Assistance）、ＰＣ（Personal  Computer）などとして実現することもできる。
【００２１】
＜Ａ．動作概要＞
まず、本実施の形態に従う情報処理装置の動作概要について説明する。
【００２２】
通常、個人にとっての迷惑電話は、他人によるいたずらの迷惑電話よりは、例えば、業者の勧誘のように何度断っても電話をかけてくる迷惑電話の方が多い。ユーザが過去に着信した業者の電話番号を着信拒否の対象とする電話番号として登録していても、当該業者は、電話番号を変更して電話をかけてくることが想定される。この場合、当該業者で保有している電話番号は、過去に使用された電話番号に類似する電話番号である場合が多い。
【００２３】
そこで、本実施の形態に従う情報処理装置は、発信者の電話番号（発信者電話番号）と、着信を拒否する対象となる迷惑電話番号とが一致する場合には、発信者電話番号からの着信を自動的に拒否する。そして、情報処理装置は、発信者電話番号と迷惑電話番号とが類似する場合には、警告情報をディスプレイに表示させて、ユーザに判断を求める。以下、図１を参照しながら、本実施の形態に従う情報処理装置の動作概要について説明する。
【００２４】
図１は、本実施の形態に従う情報処理装置１０の動作概要を説明するための概念図である。ここでは、着信側の装置である情報処理装置１０に、発信側の装置である発信端末装置２０から電話がかかってきた場面を想定する。
【００２５】
図１を参照して、情報処理装置１０は、発信端末装置２０から発信された信号に伴う電話番号情報「０８０−１２３４−・・・・」（以下「発信者電話番号」とも称す。）を取得すると、メモリ１１０に予め格納されており、着信を拒否する対象となる迷惑電話番号のリストである迷惑電話番号リスト１２２に基づいて発信者電話番号を検索する。例えば、迷惑電話番号リスト１２２は、迷惑電話番号情報「０８０−１２３４−＊＊＊＊」を含む。情報処理装置１０は、当該検索の結果として、発信者電話番号と一致する電話番号が迷惑電話番号リスト内に存在した場合には、発信端末装置２０（発信者電話番号）からの着信を自動的に拒否する。着信を拒否した場合には、情報処理装置１０は、着信音（またはバイブレータ）の鳴動を行なわない。このとき、情報処理装置１０は、発信端末装置２０に対して、情報処理装置１０に接続できなかったことを示す音声情報を送信してもよい。
【００２６】
情報処理装置１０は、検索結果として、発信者電話番号と類似する電話番号が迷惑電話番号リスト１２２内に存在した場合には、ディスプレイ１４０にユーザインターフェイス画面５００を表示させる。例えば、発信者電話番号および迷惑電話番号の上７桁が同じ数字である場合には、情報処理装置１０は、発信者電話番号と迷惑電話番号とが類似すると判断する。
【００２７】
ユーザインターフェイス画面５００は、発信者電話番号５０２と、「０８０−１２３４−＊＊＊＊に似ている番号です。いかが致しましょう。」といった、発信者電話番号と迷惑電話番号とが類似することをユーザに警告するメッセージ５０４と、着信拒否の指示を受け付けるボタン５０６と、留守応答の指示を受け付けるボタン５０８と、通常着信処理の指示を受け付けるボタン５１０とを含む。また、ユーザインターフェイス画面５００には、迷惑電話番号情報とともに、迷惑電話番号リスト１２２に登録されている電話番号が、迷惑電話番号であることを示す（強調する）ラベルを含んでいてもよい。
【００２８】
情報処理装置１０は、入力装置（ボタンやタッチパネルなど）を介してユーザからの指示を受け付けると、当該指示に応じた処理を実行する。すなわち、ユーザによって押下されたボタン５０６〜５１０に対応する処理を実行する。具体的には、ユーザによってボタン５０６が押下されると、情報処理装置１０は、発信端末装置２０からの着信を拒否するとともに発信者電話番号を迷惑電話番号リスト１２２に追加する。ユーザによってボタン５０８が押下されると、情報処理装置１０は、留守メッセージを発信端末装置２０に送信する。ユーザによってボタン５１０が押下されると、情報処理装置１０は、通常着信処理を実行する。
【００２９】
上記によると、情報処理装置１０は、発信者電話番号と迷惑電話番号とが一致する場合には、発信者からの着信を自動的に拒否するため、ユーザの手間を省くことができる。また、情報処理装置１０は、発信者電話番号と迷惑電話番号とが類似する場合には、発信者からの電話は迷惑電話の可能性が高いことから、警告情報をユーザに通知する。したがって、当該通知を受けたユーザは、自身が意図する応答を容易に選択することが可能となる。そして、情報処理装置１０のメモリ１１０に格納された情報に基づく処理であるため、情報処理装置１０のユーザに適した判断をより正確に行なうことができる。
【００３０】
以下、このような動作を実現する情報処理装置１０の構成および処理手順についての詳細を説明する。
【００３１】
＜Ｂ．ハードウェア構成＞
情報処理装置１０のハードウェア構成について説明する。
【００３２】
図２は、本実施の形態に従う情報処理装置１０のハードウェア構成を示すブロック図である。
【００３３】
図２を参照して、情報処理装置１０は、主たる構成要素として、ＣＰＵ（Central  Processing  Unit）１００と、メモリ１１０と、タッチパネル１２０と、ボタン１３０と、ディスプレイ１４０と、スピーカ１５０と、マイク１６０と、バイブレータ１６５と、通信インターフェイス（Ｉ／Ｆ）１７０と、メモリインターフェイス（Ｉ／Ｆ）１８０と、無線通信部１９０と、通信アンテナ１９２とを含む。
【００３４】
ＣＰＵ１００は、メモリ１１０に記憶されたプログラムを読み出して実行することで、情報処理装置１０の各部の動作を制御する。より詳細にはＣＰＵ１００は、当該プログラムを実行することによって、後述する情報処理装置１０の処理（ステップ）の各々を実現する。ＣＰＵ１００は、例えば、マイクロプロセッサ（Microprocessor）である。なお、当該ハードウェアは、ＣＰＵ以外のＦＰＧＡ（Field  Programmable  Gate Array）、ＡＳＩＣ（Application  Specific  Integrated  Circuit）およびその他の演算機能を有する回路などであってもよい。
【００３５】
メモリ１１０は、ＲＡＭ（Random  Access  Memory）、ＲＯＭ（Read-Only  Memory）、ハードディスクなどによって実現される。メモリ１１０は、ＣＰＵ１００によって実行されるプログラム、データなどを記憶する。
【００３６】
タッチパネル１２０は、表示部としての機能を有するディスプレイ１４０上に設けられる。タッチパネル１２０は、抵抗膜方式、表面弾性波方式、赤外線方式、電磁誘導方式、静電容量方式などのいずれのタイプであってもよいし、光センサ液晶を含んでもよい。タッチパネル１２０は、外部の物体によるタッチパネルへのタッチ操作を検知して、タッチ座標（タッチ位置）をＣＰＵ１００に入力する。
【００３７】
ボタン１３０は、情報処理装置１０の本体部分の表面に配置されており、ユーザからの指示を受け付けて、ＣＰＵ１００に入力する。ボタン１３０は、例えば、表示画面を遷移させる画面遷移ボタン、確定ボタン、キャンセルボタンなどを含む。
【００３８】
ディスプレイ１４０は、ＣＰＵ１００からの信号に基づいて、画像やテキストなどを表示する。たとえば、ＣＰＵ１００は、発信者電話番号と迷惑電話番号とが類似していることを示す警告情報をディスプレイ１４０に表示させる。
【００３９】
スピーカ１５０は、ＣＰＵ１００からの指示に基づいて、音声を出力する。例えば、ＣＰＵ１００は、発信者電話番号と迷惑電話番号とが類似していることを示す音声をスピーカ１５０に出力させる。
【００４０】
マイク１６０は、音声を受け付けて、音声に応じた信号をＣＰＵ１００に入力する。バイブレータ１６５は、ＣＰＵ１００からの指示に基づいて、情報処理装置１０のユーザによって指定されたパターンで、発振動作を実行する。
【００４１】
通信インターフェイス（Ｉ／Ｆ）１７０は、情報処理装置１０と外部装置との間で各種データをやり取りするための通信インターフェイスであり、アダプタやコネクタなどによって実現される。なお、通信方式としては、Ｂｌｕｅｔｏｏｔｈ（登録商標）、無線ＬＡＮ（Local  Area  Network）による無線通信であってもよいし、ＵＳＢ（Universal  Serial  Bus）を利用した有線通信であってもよい。
【００４２】
メモリインターフェイス（Ｉ／Ｆ）１８０は、外部の記憶媒体１８２からデータを読み出す。すなわち、ＣＰＵ１００は、メモリインターフェイス１８０を介して外部の記憶媒体１８２に格納されているデータを読み出して、当該データをメモリ１１０に格納する。ＣＰＵ１００は、メモリ１１０からデータを読み出して、メモリインターフェイス１８０を介して当該データを外部の記憶媒体１８２に格納する。
【００４３】
なお、記憶媒体１８２としては、ＣＤ（Compact  Disc）、ＤＶＤ（Digital  Versatile  Disk）、ＢＤ（Blu-ray  Disc）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、ＥＰＲＯＭ、ＥＥＰＲＯＭ（Electronically  Erasable  Programmable  Read-Only  Memory）などの、不揮発的にプログラムを格納する媒体が挙げられる。
【００４４】
無線通信部１９０は、通信アンテナ１９２を介して移動体通信網に接続し無線通信のための信号の送受信を行なう。すなわち、無線通信部１９０は、ＣＰＵ１００からの通信データを通信信号に変換し、その通信信号を通信アンテナ１９２を介して送信したり、通信アンテナ１９２を介して受信した通信信号を通信データに変換し、その通信データをＣＰＵ１００に入力したりする。これにより、情報処理装置１０は、たとえば、第３世代移動通信システム（３Ｇ）、ＬＴＥ（Long  Term  Evolution）などの移動体通信網を介して発信先の通信装置との通信が可能となる。
【００４５】
＜Ｃ．機能構成＞
次に、情報処理装置１０の主な機能構成について説明する。
【００４６】
図３は、本実施の形態に従う情報処理装置１０の主な機能構成を示すブロック図である。
【００４７】
図３を参照して、情報処理装置１０は、主な機能構成として、迷惑電話番号格納部２１０と、一致判断部２２０と、類似判断部２３０と、通知部２４０と、入力部２５０と、応答処理部２６０と、許可電話番号格納部２７０と、許可番号一致判断部２８０とを含む。一致判断部２２０と、類似判断部２３０と、通知部２４０と、応答処理部２６０と、許可番号一致判断部２８０とは、基本的には、情報処理装置１０のＣＰＵ１００がメモリ１１０に格納されたプログラムを実行し、情報処理装置１０の構成要素へ指令を与えることなどによって実現される。すなわち、ＣＰＵ１００は情報処理装置１０の動作全体を制御する制御部としての機能を有する。なお、これらの機能構成の一部または全部はハードウェアで実現されていてもよい。
【００４８】
迷惑電話番号格納部２１０は、情報処理装置１０が着信を拒否する対象となる電話番号として登録された迷惑電話番号を格納する。より具体的には、例えば、迷惑電話番号格納部２１０は、複数の迷惑電話番号を迷惑電話番号リストとしてデータベース化して、発信者電話番号と一致または類似する迷惑電話番号を検索可能に構成されている。
【００４９】
一致判断部２２０は、発信者から発信された発信者電話番号と、迷惑電話番号格納部２１０に登録された迷惑電話番号とが一致するか否かを判断する。具体的には、一致判断部２２０は、迷惑電話番号格納部２１０における迷惑電話番号リストを参照して、発信者電話番号と一致する電話番号を検索し、一致する電話番号が存在するか否かを判断する。すなわち、一致判断部２２０は、一致する電話番号が存在する場合には、発信者電話番号と迷惑電話番号とが一致すると判断し、一致する電話番号が存在しない場合には、発信者電話番号と迷惑電話番号とが一致しないと判断する。
【００５０】
類似判断部２３０は、一致判断部２２０の判断結果に基づいて、発信者電話番号と迷惑電話番号とが類似するか否かを判断する。具体的には、類似判断部２３０は、発信者電話番号と迷惑電話番号とが一致しないとの一致判断部２２０の判断結果に基づいて、迷惑電話番号リストを参照して、発信者電話番号と類似する電話番号を検索し、類似する電話番号が存在するか否かを判断する。すなわち、類似判断部２３０は、類似する電話番号が存在する場合には、発信者電話番号と迷惑電話番号とが類似すると判断し、類似する電話番号が存在しない場合には、発信者電話番号と迷惑電話番号とが類似しないと判断する。
【００５１】
類似判断部２３０は、類似判断基準として、電話番号の桁数と、電話番号を構成する数字列とに基づいて、迷惑電話番号と発信者電話番号とが類似するか否かを判断する。より具体的には、類似判断部２３０は、迷惑電話番号および発信者電話番号における電話番号の桁数が同じであり、上７桁の数字が同じである場合に、迷惑電話番号と発信者電話番号とが類似すると判断する。
【００５２】
通知部２４０は、類似判断部２３０の判断結果に基づいて、警告情報をユーザに通知する。具体的には、通知部２４０は、ある局面では、発信者電話番号と迷惑電話番号とが類似するとの類似判断部２３０の判断結果に基づいて、発信者電話番号と迷惑電話番号とが類似することを示す警告情報をユーザに通知する。通知部２４０は、例えば、警告情報として発信者電話番号と迷惑電話番号とが類似することを示す警告メッセージなどをディスプレイ１４０に表示させる、また、通知部２４０は、当該警告メッセージの音声をスピーカ１５０に出力させてもよい。
【００５３】
入力部２５０は、当該警告情報に対してユーザからの指示を受け付ける。入力部２５０は、当該指示を応答処理部２６０に出力する。入力部２５０は、主に、ＣＰＵ１００とタッチパネル１２０（または、ボタン１３０、マイク１６０）とが連係して動作することで実現される機能である。
【００５４】
応答処理部２６０は、入力部２５０が受け付けたユーザからの指示に応じた処理を実行する。応答処理部２６０は、例えば、ユーザからの発信者に対する着信の拒否の指示に従って、発信者電話番号を迷惑電話番号として迷惑電話番号格納部２１０に登録する。
【００５５】
許可電話番号格納部２７０は、情報処理装置１０が着信を許可する対象となる電話番号として登録された許可電話番号を格納する。具体的には、例えば、許可電話番号格納部２７０は、複数の許可電話番号を許可電話番号リストとしてデータベース化して、発信者電話番号と一致する許可電話番号を検索可能に構成されている。
【００５６】
許可番号一致判断部２８０は、発信者電話番号と、許可電話番号格納部２７０に登録された許可電話番号とが一致するか否かを判断する。具体的には、許可番号一致判断部２８０は、許可電話番号格納部２７０における許可電話番号リストを参照して、発信者電話番号と一致する電話番号を検索し、一致する電話番号が存在するか否かを判断する。すなわち、許可番号一致判断部２８０は、一致する電話番号が存在する場合には、発信者電話番号と許可電話番号とが一致すると判断し、一致する電話番号が存在しない場合には、発信者電話番号と許可電話番号とが一致しないと判断する。
【００５７】
なお、通知部２４０は、別の局面では、類似判断部２３０の判断結果により迷惑電話番号と発信者電話番号とが類似すると判断したときであって、許可番号一致判断部２８０の判断結果により許可電話番号と発信者電話番号とが一致すると判断した場合には警告情報を通知せず、許可電話番号と発信者電話番号とが一致しないと判断した場合に警告情報を通知してもよい。
【００５８】
＜Ｄ．処理手順＞
次に、情報処理装置１０が実行する具体的な処理手順について説明する。
【００５９】
図４は、本実施の形態に従う情報処理装置１０が実行する着信応答処理を示すフローチャートである。ここでは、発信端末装置２０から情報処理装置１０に電話をかける場面を想定する。図４に示す各ステップは、基本的には、ＣＰＵ１００がプログラムを実行することで実現される。
【００６０】
図４を参照して、ＣＰＵ１００は、無線通信部１９０を介して発信端末装置２０から発信された発信信号を受信したか否かを判断する（ステップＳ１０１）。発信信号が受信されていない場合（ステップＳ１０１においてＮＯの場合）には、ＣＰＵ１００は、ステップＳ１０２の処理を繰り返す。これに対して、発信信号が受信された場合（ステップＳ１０１においてＹＥＳの場合）には、ＣＰＵ１００（許可番号一致判断部２８０）は、発信端末装置２０から発信された発信信号に基づいて発信者電話番号を取得し、当該発信者電話番号とメモリ１１０（許可電話番号格納部２７０）に格納された許可電話番号とが一致するか否かを判断する（ステップＳ１０２）。
【００６１】
発信者電話番号と許可電話番号とが一致する場合（ステップＳ１０２においてＹＥＳの場合）には、ＣＰＵ１００は、通常の着信応答処理を実行する（ステップＳ１０３）。具体的には、ＣＰＵ１００（応答処理部２６０）は、例えば、スピーカ１５０を介して着信音を出力させる（または、バイブレータ１６５を介して本体を振動させる）とともに、発信者からの電話番号を示す発信者電話番号と、発信者に対して応答する応答ボタンと、発信者に対する応答を拒否する拒否ボタンとを含むユーザインターフェイス画面をディスプレイ１４０に表示させる。そして、ＣＰＵ１００（入力部２５０）が、ユーザから通話許可の指示を受け付けた（応答ボタンが選択された）場合には、情報処理装置１０と発信端末装置２０とが通話状態となる。ＣＰＵ１００（入力部２５０）が、ユーザから応答拒否の指示を受け付けた（拒否ボタンが選択された）場合には、発信端末装置２０との通信を切断する。そして、処理は終了する（エンド）。
【００６２】
これに対して、発信者電話番号と許可電話番号とが一致しない場合（ステップＳ１０２においてＮＯの場合）には、ＣＰＵ１００（一致判断部２２０）は、発信者電話番号とメモリ１１０（迷惑電話番号格納部２１０）に格納された迷惑電話番号とが一致するか否かを判断する（ステップＳ１０４）。
【００６３】
発信者電話番号と迷惑電話番号とが一致する場合（ステップＳ１０４においてＹＥＳの場合）には、ＣＰＵ１００（一致判断部２２０）は、発信端末装置２０からの着信を拒否する（ステップＳ１０６）。これに対して、発信者電話番号と迷惑電話番号とが一致しない場合（ステップＳ１０４においてＮＯの場合）には、ＣＰＵ１００（類似判断部２３０）は、発信者電話番号と迷惑電話番号とが類似するか否かを判断するための類似判断処理を実行する（ステップＳ１０８）。
【００６４】
図５は、本実施の形態に従う情報処理装置１０が実行する類似判断処理の処理手順を示すフローチャートである。
【００６５】
図５を参照して、ＣＰＵ１００（類似判断部２３０）は、発信者電話番号および迷惑電話番号の桁数が一致するか否かを判断する（ステップＳ２０２）。
【００６６】
発信者電話番号および迷惑電話番号の桁数が一致しない場合（ステップＳ２０２においてＮＯの場合）には、ＣＰＵ１００（類似判断部２３０）は、発信者電話番号と迷惑電話番号とは類似しないと判断して（ステップＳ２０８）、処理を終了する。これに対して、発信者電話番号および迷惑電話番号の桁数が一致する場合（ステップＳ２０２においてＹＥＳの場合）には、ＣＰＵ１００（類似判断部２３０）は、発信者電話番号および迷惑電話番号の上７桁の数字が一致するか否かを判断する（ステップＳ２０４）。
【００６７】
発信者電話番号および迷惑電話番号の上７桁の数字が一致しない場合（ステップＳ２０４においてＮＯの場合）には、ＣＰＵ１００（類似判断部２３０）は、発信者電話番号と迷惑電話番号とは類似しないと判断して（ステップＳ２０８）、処理を終了する。これに対して、発信者電話番号および迷惑電話番号の上７桁の数字が一致する場合（ステップＳ２０４においてＮＯの場合）には、ＣＰＵ１００（類似判断部２３０）は、発信者電話番号と迷惑電話番号とが類似すると判断して（ステップＳ２０６）、処理を終了する。
【００６８】
なお、類似判断基準はこれに限られない。例えば、迷惑電話に対するセキュリティを強化したい場合には、ＣＰＵ１００は、ステップＳ２０４において、上７桁ではなく上５桁の数字が一致するか否かを判断してもよい。また、ＣＰＵ１００は、ステップＳ２０２において、桁数が一致する場合のみを類似と判断しなくともよい。類似判断基準は、ユーザによって任意に設定することが可能である。
【００６９】
再び、図４を参照して、ＣＰＵ１００（通知部２４０）は、ステップＳ１０８における類似判断処理の判断結果に基づいて、発信者電話番号と迷惑電話番号とが類似するか否かを判断する（ステップＳ１１０）。
【００７０】
発信者電話番号と迷惑電話番号とが類似しない場合（ステップＳ１１０においてＮＯの場合）には、ＣＰＵ１００（応答処理部２６０）は、通常の着信応答処理を実行する（ステップＳ１０３）。これに対して、発信者電話番号と迷惑電話番号とが類似する場合（ステップＳ１１０においてＹＥＳの場合）には、ＣＰＵ１００（通知部２４０）は、発信者電話番号と迷惑電話番号とが類似していることをユーザに警告する（ステップＳ１１２）。具体的には、ＣＰＵ１００（通知部２４０）は、警告情報として発信者電話番号と迷惑電話番号とが類似することを示す警告メッセージを含むユーザインターフェイス画面５００をディスプレイ１４０に表示させる。
【００７１】
次に、ＣＰＵ１００（入力部２５０）は、ユーザからの指示を受け付けたか否かを判断する（ステップＳ１１４）。具体的には、ＣＰＵ１００（入力部２５０）は、タッチパネル１２０などを介して、ユーザインターフェイス画面５００におけるボタン５０６〜５１０に対応するいずれかの指示を受け付けたか否かを判断する。
【００７２】
ＣＰＵ１００（入力部２５０）は、ユーザからの指示を受け付けていない場合（ステップＳ１１４においてＮＯの場合）には、ステップＳ１１４の処理を繰り返す。これに対して、ＣＰＵ１００（入力部２５０）が、ユーザからの指示を受け付けた場合（ステップＳ１１４においてＹＥＳの場合）には、ステップＳ１１６の処理を実行する。
【００７３】
次に、ＣＰＵ１００（応答処理部２６０）は、ユーザからの指示に対応する処理を実行する（ステップＳ１１６）。具体的には、ユーザからの指示が応答拒否の指示であった場合には、ＣＰＵ１００（応答処理部２６０）は、発信端末装置２０との通信を切断するとともに、メモリ１１０（迷惑電話番号格納部２１０）に発信者電話番号を迷惑電話番号として登録する。ユーザからの指示が留守応答の指示であった場合には、ＣＰＵ１００（応答処理部２６０）は、留守メッセージの音声データを発信端末装置２０に対して送信する。ユーザからの指示が通常応答の指示であった場合には、ＣＰＵ１００（応答処理部２６０）は、上記のステップＳ１０３における通常の着信応答処理を実行する。そして、処理は終了する（エンド）。
【００７４】
なお、上記において、ステップＳ１０２の処理は、ステップＳ１０４とステップＳ１０８との間であってもよいし、ステップＳ１１０とステップＳ１１２との間であってもよい。また、情報処理装置１０が許可電話番号を保有していない場合には、情報処理装置１０は、ステップＳ１０２の処理を行なわなくともよい。この場合、ステップＳ１０４において、ＣＰＵ１００（一致判断部２２０）が、発信端末装置２０から発信された発信信号に基づいて発信者電話番号を取得し、発信者電話番号と迷惑電話番号とが一致するか否かを判断する。
【００７５】
また、ステップＳ１１２において、ＣＰＵ１００（通知部２４０）は、警告情報として当該警告メッセージの音声をスピーカ１５０に出力させてもよい。この場合、ＣＰＵ１００（応答処理部２６０）は、ユーザからマイク１６０を介して音声入力により受け付けた指示（ステップＳ１１４）に基づいて、当該指示に対応する処理を実行してもよい（ステップＳ１１６）。
【００７６】
本実施の形態とすることで、ユーザは、ネットワーク上のサービスを提供を受けなくともユーザ自身に適した迷惑電話の着信防止が可能となる。また、ユーザは、ネットワーク上のサービスの提供を受けることに伴う制限（サービス利用のための課金、サービス圏外である場合には利用不可）を受けない。
【００７７】
迷惑電話番号と一致する電話番号については、自動的に着信が拒否され、迷惑電話番号と類似する電話番号については、警告情報の通知によりユーザに判断が求められるため、ユーザの意図がより反映された柔軟な対応が可能となる。さらに、警告情報により、ユーザは電話に応答する前に迷惑電話かもしれないという心の準備ができる。
【００７８】
迷惑電話であると判断された電話番号については、自動的に迷惑電話番号リストに登録されるため、ユーザが迷惑電話番号として登録する手間を省くこともできるとともに、ユーザの登録忘れを防止することもできる。
【００７９】
＜Ｅ．その他の実施の形態＞
なお、コンピュータを機能させて、上述のフローで説明したような制御を実行させるプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８０】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００８１】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００８２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００８３】
１０  情報処理装置、２０  発信端末装置、１００  ＣＰＵ、１１０  メモリ、１２０  タッチパネル、１２２  迷惑電話番号リスト、１３０  ボタン、１４０  ディスプレイ、１５０  スピーカ、１６０  マイク、１６５  バイブレータ、１７０  通信インターフェイス、１８０  メモリインターフェイス、１８２  記憶媒体、１９０  無線通信部、１９２  通信アンテナ、２１０  迷惑電話番号格納部、２２０  一致判断部、２３０  類似判断部、２４０  通知部、２５０  入力部、２６０  応答処理部、２７０  許可電話番号格納部、２８０  許可番号一致判断部。
【図１】
2013223059.tif 000003
【図２】
2013223059.tif 000004
【図３】
2013223059.tif 000005
【図４】
2013223059.tif 000006
【図５】
2013223059.tif 000007